【事件の表示】
　平成１１年特許願第　　８９１８号「パチンコ遊技機」拒絶査定に対する審判事件〔平成１１年　９月１４日出願公開、特開平１１−２４４４６７、請求項の数（６）〕について、次のとおり審決する。
【結　論】
　原査定を取り消す。
　本願の発明は、特許すべきものとする。
【理　由】
　この出願は、平成２年１１月２２日に出願された特願平２−３１６１７２号の一部が平成１１年１月１８日に新たな特許出願として分割されたものであって、その請求項１乃至６に係る各発明は、平成１３年６月７日付けの手続補正によって補正された明細書の特許請求の範囲の請求項１乃至６に記載されたとおりの、
「１・可動翼片の作動により開閉される大入賞口と、前記大入賞口を通じて入球可能とされた入賞空間内に設定された普通入賞口及び特別入賞口とを備え、前記特別入賞口への入賞に応じて大当りとなるようになされた遊技役物装置と、前記遊技役物装置とは別に、第１特定入賞部と、第２特定入賞部と、前記第１特定入賞部に遊技球が入球したことを条件として図柄を変動する図柄表示器とを配設し、前記第２特定入賞部を翼片を備えた可変入賞装置で構成し、前記図柄表示器の図柄が所定の停止表示態様となった場合に前記第２特定入賞部を開放するようになすと共に、遊技球が該第２特定入賞部に入球したことを条件として前記遊技役物装置の可動翼片を動作させる作動口に設定し、前記第１特定入賞部及び前記第２特定入賞部を入球により賞球が払い出される払出し口に設定し、前記第２特定入賞部への入球に応じて払い出される賞球の数が、前記第１特定入賞部への入球に応じて払い出される賞球の数よりも多い数に設定されていることを特徴とするパチンコ遊技機。
２・前記第２特定入賞部は、前記翼片が閉鎖状態にあるときには、遊技球の入球が非常に困難な状態とされていることを特徴とする請求項１に記載のパチンコ遊技機。
３・前記第２特定入賞部は、前記翼片が閉鎖状態にあるときでも、遊技球の入球が可能な状態とされていることを特徴とする請求項１に記載のパチンコ遊技機。
４・前記図柄表示器は、前記第２特定入賞部を構成する前記可変入賞装置と一体に設けられていることを特徴とする請求項１乃至３のうちのいずれか１つに記載のパチンコ遊技機。
５・前記第１特定入賞部と前記第２特定入賞部とが、遊技盤面上の互いに隣接する位置に配置されていることを特徴とする請求項１乃至４のうちのいずれか１つに記載のパチンコ遊技機。
６・遊技盤面に、前記第１特定入賞部が複数設けられ、前記第２特定入賞部が単数設けられていることを特徴とする請求項１乃至５のうちのいずれか１つに記載のパチンコ遊技機」
にあるものと認める。
　これに対して、原査定の拒絶理由において引用された、この出願の出願前に国内において頒布された刊行物である特開平２−２２０６８０号公報（刊行物１）には、
「可動翼片（「開閉板２１」がこれに相当する）の作動により開閉される大入賞口（「開口１９」がこれに相当する）と、前記大入賞口を通じて入球可能とされた入賞空間２０内に設定された普通入賞口（「通常入賞口２５ａ，２５ｂ」がこれに相当する）及び特別入賞口（「特定入賞口２４」がこれに相当する）とを備え、前記特別入賞口への入賞に応じて大当り（「第１の規制条件」がこれに相当する）となるようになされた遊技役物装置（「可変入賞球装置１３」がこれに相当する）と、前記遊技役物装置とは別に、第１特定入賞部（「始動入賞口３１ａ，３１ｂ、３１ｃ」がこれに相当する）と、前記第１特定入賞部に遊技球が入球したことを条件として図柄を変動する図柄表示器（「可変表示器１６ａ，１６ｂ、１６ｃ」がこれに相当する）とを配設し、前記図柄表示器の図柄が所定の停止表示態様となった場合に前記大入賞口を開放するようになすパチンコ遊技機」を構成とする発明が、
同じく、特開昭６３−２９２９８４号公報（刊行物２）には、
「可動翼片（「開閉扉３２」がこれに相当する）の作動により開閉される大入賞口（「第２変動入賞装置２２」がこれに相当する）と、前記大入賞口とは別に、第１特定入賞部（「第１乃至第３特定入賞口７，８，９」がこれに相当する）と、第２特定入賞部（「第１変動入賞装置２１」がこれに相当する）と、前記第１特定入賞部に遊技球が入球したことを条件として図柄を変動する図柄表示器（「可変表示装置３」がこれに相当する）とを配設し、前記第２特定入賞部を翼片（「開閉翼２３」がこれに相当する）を備えた可変入賞装置で構成し、前記図柄表示器の図柄が所定の停止表示態様となった場合に前記第２特定入賞部を開放するようになすと共に、遊技球が該第２特定入賞部に入球したことを条件として大当り（「権利保持」がこれに相当する）となり、前記大入賞口の可動翼片を前記第２特定入賞部に入球した個数分だけ動作させる作動口に設定されているパチンコ遊技機」を構成とする発明が、
同じく、特開平２−２０９１８１号公報（刊行物３）には、
「可動翼片（「開閉扉５１３及び可動片５１４」がこれに相当する）の作動により開閉される大入賞口（「入賞口５１１」がこれに相当する）を備えた変動入賞装置５０と、前記変動入賞装置５０とは別に、第１特定入賞部（「始動入賞装置４」がこれに相当する）と、第２特定入賞部（「特別変動入賞装置３０」がこれに相当する）と、前記第１特定入賞部に遊技球が入球したことを条件として図柄を変動する図柄表示器（「可変表示装置２０」がこれに相当する）とを配設し、前記第２特定入賞部を翼片（「可動片３１」がこれに相当する）を備えた可変入賞装置で構成し、前記図柄表示器の図柄が所定の停止表示態様となった場合に前記第２特定入賞部を開放するようになすと共に、遊技球が該第２特定入賞部に入球したことを条件として大当り（「特別遊技」がこれに相当する）となり、前記図柄表示器の所定の停止表示態様分の時間だけ前記変動入賞装置５０の可動翼片を動作させる作動口に設定されているパチンコ遊技機」を構成とする発明が、
それぞれ記載されているものと認められる。
　この出願の請求項１に係る発明（前者）と刊行物１乃至３に記載された各発明とを対比すると、
前者と刊行物１乃至３に記載された各発明との間に、
刊行物１に記載された発明には、前者における第２特定入賞部に相当するものがなく、それ故、刊行物１に記載された発明では、図柄表示器の図柄が所定の停止表示態様となった場合に開放されるものが、前記第２特定入賞部ではなく、大入賞口である、
刊行物２に記載された発明には、前者における普通入賞口及び特別入賞口とを備えた遊技役物装置に相当するものがなく、それ故、刊行物２に記載された発明では、大当りになる条件が、前記特別入賞口への入賞ではなく、第２特定入賞部への遊技球の入球であり、大当りの内容も、大入賞口の可動翼片を前記第２特定入賞部に入球した個数分だけ動作させるというものである、
刊行物３に記載された発明には、前者における普通入賞口及び特別入賞口とを備えた遊技役物装置に相当するものがなく、それ故、刊行物３に記載された発明では、大当りとなる条件が、前記特別入賞口への入賞ではなく、第２特定入賞部への遊技球の入球であり、大当りの内容も、変動入賞装置５０の可動翼片を図柄表示器の所定の停止表示態様分の時間だけ動作させるというものである、
という相違が認められる。
　そこで、刊行物１に記載された発明が備えていない第２特定入賞部を、刊行物２及び３に記載された各発明が備えている点に着目し、刊行物１に記載された発明に、刊行物２及び３に記載された各発明を適用すれば、前者を構成し得るか否かについてみるに、
確かに、刊行物２及び３に記載された各発明には、第２特定入賞部が備わっているけれども、この第２特定入賞部は、これへの遊技球の入球によって、大当りを発生させるものであり、一方、刊行物１に記載された発明では、遊技役物装置内に備えられている特別入賞口への入賞によって大当りが発生するものであるから、刊行物１に記載された発明に、刊行物２及び３に記載された各発明を適用しても、到底、前者を構成することは不可能というべきである。
　その上、刊行物１乃至３に記載された各発明には、前者の構成の一部である、
「第２特定入賞部への入球に応じて払い出される賞球の数が、第１特定入賞部への入球に応じて払い出される賞球の数よりも多い数に設定されている」
という構成も備わっていない。
　しかも、前者は、刊行物１乃至３に記載された各発明に備わっていない構成により、
「大当りとなるためには・・・遊技ステップを踏まなければならないという特有の遊技性を遊技者に提供できる」及び「遊技者にしてみれば・・・打球切れを起す危険性が低く、安心して遊技に集中できる」
という効果を奏するものと認められる。
　したがって、前者は、刊行物１乃至３に記載された各発明に基づいて当業者が容易に発明をすることができたものということはできない。
　又、この出願の請求項２乃至６に係る各発明も、前者を引用するものである以上、刊行物１乃至３に記載された各発明に基づいて当業者が容易に発明をすることができたものということはできない。
　又、他にこの出願を拒絶すべき理由を発見しない。
　よって、結論のとおり審決する